(57)【要約】【課題】高度な技術や熟練を必要としない歯科矯正装置の提供【解決手段】この発明の歯科矯正装置は、前歯１の舌側の面２に接着可能な形状に成形した基板３の表面４に、クリブ５を、クリブ５の先端ａが基板３の表面４から所定長ｔだけ離隔するように、傾斜して立設した部材Ａから構成されれており、部材Ａを、前歯１の舌側の面２に接着剤で直接接着させるだけでよいので、高度な技術を要せず、作業が簡単で、短時間に済ませることができるので、歯科医師、患者双方にかかる負担を軽減できる。【選択図】  図１
2005006872.tif 000002
【特許請求の範囲】
【請求項１】
前歯（１）の舌側の面（２）に接着可能な形状に成形した基板（３）の表面（４）に、クリブ（５）を、該クリブ（５）の先端（ａ）が前記基板（３）の表面（４）から所定長（ｔ）だけ離隔するように、傾斜して立設した部材（Ａ）からなることを特徴とする歯科矯正装置
【請求項２】
前歯（１）の舌側の面（２）に接着可能な形状に成形した基板（３）の表面（４）に、クリブ（５）を、該クリブ（５）の先端（ａ）が前記基板（３）の表面（４）から所定長（ｔ）だけ離隔するように、傾斜して立設した部材（Ａ）を複数個連結してなることを特徴とする歯科矯正装置
【発明の詳細な説明】
【０００１】
【発明の属する技術分野】
この発明は、指しゃぶり、弄舌癖、開咬症を矯正するための歯科矯正装置に関するものである。
【０００２】
【従来の技術】
従来、指しゃぶり、弄舌癖、開咬症の治療には、直径０．８〜１．０ｍｍのワイヤ６を、図５に示すように、円弧状に屈曲し、屈曲部が前歯の舌側の面から２〜３ｍｍ程度離隔するように位置させたのち、ワイヤ６の両端を、大臼歯７，７に装着した帯環８，８にロウ着９させて固定し、さらに前歯部に位置するワイヤ６に複数個のクリブ１０をロウ着９していたので、次のような問題点があった。
なお、クリブは、矯正歯科において使用される用語で、とげ状のものを意味する。
【０００３】
（１）帯環８を大臼歯７に違和感なく装着可能に加工するには、高度な技術が必要であり、通常、複数回の試適・調整を繰り返さなければならない。
（２）ワイヤ６を所定の形状に、屈曲・成形するには高度な技術と熟練が必要である。
（３）クリブ１０のワイヤ６へのロウ着９及びワイヤ６の両端の帯環８へのロウ着９には高度な技術と熟練が必要である。
【０００４】
なお、指しゃぶり、弄舌癖、開咬症の矯正手段は、指や舌がクリブ１０に接触すると、痛いと感じ、これを繰り返すうちに、指を口に入れたり又は舌を前方に突き出したりしなくなるという動機付けを期待するものである。
【０００５】
【発明が解決しようとする課題】
この発明は、従来の技術で記述した問題点を解消するためになされたもので、高度な技術や熟練を必要としない歯科矯正装置の提供を目的とするものである。
【０００６】
【課題を解決するための手段】
この発明の歯科矯正装置は、前歯の舌側の面に接着可能な形状に成形した基板の表面に、クリブを、該クリブの先端が前記基板の表面から所定長だけ離隔するように、傾斜して立設した部材からなることを特徴とするものである。なお、必要に応じて、前記部材を複数個連結連結させてもよい。
【０００７】
【発明の実施の形態】
この発明の実施の形態の一例を図面を参照しながら説明するに、図１〜図４に示すように、前歯１の舌側の面２に接着可能な形状に成形した基板３の表面４に、クリブ５を、その先端ａが基板３の表面４から所定長ｔだけ離隔するように、傾斜して立設した部材Ａから構成されている。
【０００８】
図１は、基板３が、ポリカ−ブネ−トなどのプラスチック系からなる部材Ａの実施の一例を示したもので、図１（ａ）は側面図、図１（ｂ）は平面図であり、図１（ａ）においては、前歯１を二重破線で示している。なお、プラスチック系からなる部材Ａは、所定の型枠に溶融したプラスチックを注入し、成形される。
【０００９】
図２は基板３が、ステンレス系からなる部材Ａの実施の一例を示したもので、図２（ａ）は側面図、図２（ｂ）は平面図であり、図２（ａ）においては、前歯１を二重破線で示している。なお、ステンレス系からなる部材Ａは、クリブ５片を、基板３の表面４に溶接したり、又は図示は省略したが、基板３に縦方向の二条の切り込みを入れ、クリブ５の作用をなす短冊状片を形成し、この短冊状片を起こし、図２（ａ）に示すような形状になるようして、成形される。
【００１０】
クリブ５の先端ａを基板３の表面４から離隔させる所定長ｔは、通常２〜３ｍｍ程度が適当であるが、これに限定されるものではなく適宜に変更することは可能である。
【００１１】
ステンレス系の場合には、図３に示すように、複数個の部材Ａをブリッジｂで連結して構成させるようにしてもよい。なお、図３では、４連の場合を例示しているが、これに限定されるものではない。図３において、二重破線は前歯１を示している。
【００１２】
実施に際しては、図４に示すように、前歯１の舌側の面２に、歯科用接着剤によって、部材Ａを接着させる。通常、指を差し込んだり、または舌を前方に突き出したりしたとき、指や舌がクリブ５の先端ａに接触するエリアに位置する複数本の前歯１の舌側の面２に部材Ａを接着する。
【００１３】
これによって、クリブ５の先端ａを、前歯１の舌側の面２から２〜３ｍｍ程度舌側に離れて位置させ、口の中に指を差し込んだり、または舌を前方に突き出したりしたとき、指や舌がクリブ５の先端ａに最も接触し易い位置に確実に配設させることができる。
【００１４】
なお、歯科医師であれば、部材Ａを前歯１の舌側の面２に接着させる等の作業はル−チンワ−クであり、馴れているので、極めて簡単な作業であるため、短時間のうちに接着作業を終らせることができる。
【００１５】
【発明の効果】
この発明は上述のように構成されているので、次のような効果を呈する。
（１）前歯の舌側面に接着剤で直接接着させるだけでよいので、歯科医師にとっては、簡単な作業であり、短時間のうちに終わらせることができ、負担がかからない。
（２）ワイヤや帯環などを全く使用しないので、従来のようなワイヤの成形、帯環の加工及びワイヤ両端の帯環へのロウ着等に要求される高度な技術と熟練は全く不要である。
（３）短時間で装着できるので、患者に負担をかけない。
（４）構造が簡単であるので、安価に量産が可能である。
【図面の簡単な説明】
【図１】（ａ）本発明の一実施例を示す側面図、（ｂ）（ａ）における平面図
【図２】（ａ）本発明の別の一実施例を示す側面図、（ｂ）（ａ）における平面図
【図３】本発明の別の一実施例を示す平面図
【図４】使用状態を示す側面図
【図５】従来の実施例を示す説明図
【符号の説明】
１  前歯
２  前歯の舌側の面
３  基板
４  基板の表面
５  クリブ
６  ワイヤ
７  大臼歯
８  帯環
９  ロウ着
１０  クリブ
Ａ  部材
ａ  クリブの先端
ｔ  クリブが基板の表面から離隔する所定長
【図１】
2005006872.tif 000003
【図２】
2005006872.tif 000004
【図３】
2005006872.tif 000005
【図４】
2005006872.tif 000006
【図５】
2005006872.tif 000007
【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
前歯の舌側の面に接着可能な形状に成形したステンレス系の部材からなる基板に、縦方向の二条の切り込みを入れ、クリブの作用をなす短冊状片を形成したことを特徴とする歯科矯正装置
【請求項２】
複数個の基板の側面をブリッジで連結したことを特徴とする請求項１記載の歯科矯正装置